Podtech/llm-jp-corpus-v4-ja_patent huggingface dataset:
【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
湿潤したときに約３５度又はそれより小さい繊維床摩擦角を有する湿潤可能な天然繊維を含む複数の繊維。
【請求項２】
水膨潤性かつ水不溶性の超吸収体材料と、
湿潤したときに約３５度又はそれより小さい繊維床摩擦角を有する複数の湿潤可能な天然繊維と、
を含むことを特徴とする吸収体複合材。
【請求項３】
湿潤したときに約５０度又はそれより大きい繊維床摩擦角を有する湿潤可能な繊維を含む複数の繊維。
【請求項４】
水膨潤性かつ水不溶性の超吸収体材料と、
湿潤したときに約５０度又はそれより大きい繊維床摩擦角を有する複数の湿潤可能な繊維と、
を含むことを特徴とする吸収体複合材。
【請求項５】
乾燥繊維床摩擦角と湿潤繊維床摩擦角とを有する湿潤可能な繊維を含む複数の繊維であって、前記湿潤繊維床摩擦角が、前記乾燥繊維床摩擦角の約８０％とされるか又はそれより小さい角度とされることを特徴とする複数の繊維。
【請求項６】
水膨潤性かつ水不溶性の超吸収体材料と、
乾燥繊維床摩擦角と湿潤繊維床摩擦角とを有する複数の湿潤可能な繊維と、を含み、前記湿潤繊維床摩擦角が、前記乾燥繊維床摩擦角の約８０％とされるか又はそれより小さい角度とされることを特徴とする吸収体複合材。
【請求項７】
乾燥繊維床凝集力値と湿潤繊維床凝集力値とを有する湿潤可能な繊維を含む複数の繊維であって、前記湿潤繊維床凝集力値が、前記乾燥繊維床凝集力値の約１２０％とされるか又はそれより小さいものとされることを特徴とする複数の繊維。
【請求項８】
水膨潤性かつ水不溶性の超吸収体材料と、
乾燥繊維床凝集力値と湿潤繊維床凝集力値とを有する複数の湿潤可能な繊維と、
を含み、前記湿潤繊維床凝集力値が、前記乾燥繊維床凝集力値の約１２０％とされるか又はそれより小さいものとされることを特徴とする吸収体複合材。
【請求項９】
約５，０００パスカル又はそれより小さい湿潤繊維床凝集力値を有する湿潤可能な天然繊維を含む複数の繊維。
【請求項１０】
水膨潤性かつ水不溶性の超吸収体材料と、
約５，０００パスカル又はそれより小さい湿潤繊維床凝集力値を有する複数の湿潤可能な繊維と、
を含むことを特徴とする吸収体複合材。
【請求項１１】
乾燥繊維床摩擦角と湿潤繊維床摩擦角とを有する湿潤可能な繊維を含む複数の繊維であって、前記湿潤繊維床摩擦角が、前記乾燥繊維床摩擦角の約１２０％とされるか又はそれより大きい角度とされることを特徴とする複数の繊維。
【請求項１２】
水膨潤性かつ水不溶性の超吸収体材料と、
乾燥繊維床摩擦角と湿潤繊維床摩擦角とを有する複数の湿潤可能な繊維と、
を含み、前記湿潤繊維床摩擦角が、前記乾燥繊維床摩擦角の約１２０％とされるか又はそれより大きい角度とされることを特徴とする吸収体複合材。
【手続補正２】
【補正対象書類名】図面
【補正対象項目名】図３
【補正方法】変更
【補正の内容】
【図３】
2006506536.tif 000001
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
それぞれがポリ（トリメチレンテレフタレート）とポリ（エチレンテレフタレート）とを含む少なくとも２つの二成分フィラメントを含む交絡した連続フィラメント糸であって、該交絡糸が、約４０〜５０結節点／ｍの結節点頻度、少なくとも約４０％の捲縮ポテンシャルを有し、実質的に撚りがなく、さらに約１．１ｃｍ以下の結節点間間隔の標準偏差を有することを特徴とする交絡した連続フィラメント糸。
【請求項２】
それぞれがポリ（トリメチレンテレフタレート）とポリ（エチレンテレフタレート）とを含み、かつ、少なくとも約４０％の捲縮ポテンシャルを有する少なくとも２つの二成分連続フィラメントであって、十分に延伸されたものおよび十分に配向されたものよりなる群から選択されるフィラメントを提供する工程と、
約２〜６％供給過剰で前記フィラメントを流体と向流接触させて糸を交絡させる工程と
を含むことを特徴とする交絡糸の製造方法。
【請求項３】
それぞれがポリ（トリメチレンテレフタレート）とポリ（エチレンテレフタレート）とを含み、かつ、少なくとも約４０％の捲縮ポテンシャルを有する少なくとも２つの二成分連続フィラメントであって、十分に延伸されたものおよび十分に配向されたものよりなる群から選択されるフィラメントを提供する工程と、
それぞれのジェットが糸スロットと空気をフィラメントに導くための２つのチャネルとを含む少なくとも２つのジェットであって、前記チャネルの縦軸が第１虚面を画定し、第１虚面と前記糸スロットに垂直の第２虚面との間の角度γが約−５°〜−３０°である少なくとも２つのジェットを提供する工程と、
前記フィラメントを約２〜６％供給過剰で連続的に前記ジェットを通過させて糸を交絡させる工程と
を含むことを特徴とする交絡糸の製造方法。
【請求項４】
請求項２に記載の方法によって製造された請求項１に記載の糸を含むことを特徴とする布。
【手続補正２】
【補正対象書類名】明細書
【補正対象項目名】００４３
【補正方法】変更
【補正の内容】
【００４３】
表ＩＩのデータは、本発明の交絡糸での製織が比較糸でより著しく良好であり、より少ない織機停止、より高い織機効率、およびより高い速度をもたらすことを示す。
本出願は、特許請求の範囲に記載の発明を含め、以下の発明を包含する。
（１）  それぞれがポリ（トリメチレンテレフタレート）とポリ（エチレンテレフタレート）とを含む少なくとも２つの二成分フィラメントを含む交絡した連続フィラメント糸であって、該交絡糸が、約４０〜５０結節点／ｍの結節点頻度、少なくとも約４０％の捲縮ポテンシャルを有し、実質的に撚りがなく、さらに約１．１ｃｍ以下の結節点間間隔の標準偏差を有することを特徴とする交絡した連続フィラメント糸。
（２）  前記捲縮ポテンシャルが約５５〜１６０％であることを特徴とする（１）に記載の糸。
（３）  相当する交絡していない糸中のフィラメントと比較して、前記捲縮ポテンシャルが約２５％相対以下だけ減らされていることを特徴とする（１）に記載の糸。
（４）  それぞれがポリ（トリメチレンテレフタレート）とポリ（エチレンテレフタレート）とを含み、かつ、少なくとも約４０％の捲縮ポテンシャルを有する少なくとも２つの二成分連続フィラメントであって、十分に延伸されたものおよび十分に配向されたものよりなる群から選択されるフィラメントを提供する工程と、
約２〜６％供給過剰で前記フィラメントを流体と向流接触させて糸を交絡させる工程と
を含むことを特徴とする交絡糸の製造方法。
（５）  それぞれがポリ（トリメチレンテレフタレート）とポリ（エチレンテレフタレート）とを含み、かつ、少なくとも約４０％の捲縮ポテンシャルを有する少なくとも２つの二成分連続フィラメントであって、十分に延伸されたものおよび十分に配向されたものよりなる群から選択されるフィラメントを提供する工程と、
それぞれのジェットが糸スロットと空気をフィラメントに導くための２つのチャネルとを含む少なくとも２つのジェットであって、前記チャネルの縦軸が第１虚面を画定し、第１虚面と前記糸スロットに垂直の第２虚面との間の角度γが約−５°〜−３０°である少なくとも２つのジェットを提供する工程と、
前記フィラメントを約２〜６％供給過剰で連続的に前記ジェットを通過させて糸を交絡させる工程と
を含むことを特徴とする交絡糸の製造方法。
（６）  前記フィラメントが約１２００〜３０００ｍ／分の速度で前記ジェットを通過させられ、かつ、各ジェットが約３１０〜８６０ｋＰａの圧力で空気を提供されることを特徴とする（５）に記載の方法。
（７）  相当する交絡していない糸中のフィラメントと比較して、前記フィラメントの前記捲縮ポテンシャルが約２５％相対以下だけ減らされていることを特徴とする（５）に記載の方法。
（８）  前記ジェットが約１．２〜２．５ｍｍの糸スロット幅を有することを特徴とする（５）に記載の方法。
（９）  前記ジェットが約８０〜１００°のチャネル間角度α、約２．５〜３．５ｍｍのチャネルのオリフィス間距離、および約１．４〜１．７ｍｍのチャネル直径を有することを特徴とする（８）に記載の方法。
（１０）  （４）に記載の方法によって製造された（１）に記載の糸を含むことを特徴とする布。
【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
SLIT-3核酸における多型を検出する工程を含み、核酸における多型の存在がII型糖尿病に対する罹患性を示す、個体におけるII型糖尿病に対する罹患性の診断方法。
【請求項２】
対照試料中のSLIT-3核酸によりコードされるポリペプチドの発現または組成と比較して、試験試料中のSLIT-3核酸によりコードされるポリペプチドの発現または組成における変化を検出する工程を含み、試験試料中のポリペプチドの発現または組成における変化がII型糖尿病の罹患性を示す、II型糖尿病に対する罹患性の診断方法。
【請求項３】
SLIT-3核酸の多型が図１１に示される少なくとも１つの多型の存在を検出することにより示される請求項１記載の方法。
【請求項４】
前記試料と第２の核酸分子とを接触させる工程を含み、第２の核酸分子が図１０に示される核酸配列および図１０に示される核酸配列の相補体からなる群より選ばれるヌクレオチド配列含み、ヌクレオチド配列が多型を含み、高ストリンジェンシー条件下で第１の核酸とハイブリダイズする、試料中の第１の核酸分子の存在についてアッセイする方法。
【請求項５】
a)レポーター遺伝子に作動可能に連結されたSLIT-3核酸のプロモーター領域を含有する核酸を含有する溶液と試験対象の薬剤とを接触させる工程；
b)レポーター遺伝子の発現のレベルを評価する工程；および
c)発現のレベルと薬剤の非存在下でレポーター遺伝子の発現のレベルとを比較する工程を含み、薬剤の存在下でのレポーター遺伝子の発現のレベルが、薬剤の非存在下での発現のレベルとは統計的に有意である量により異なり、薬剤がSLIT-3核酸の発現を変化させる、SLIT-3核酸の発現を変化させる薬剤の同定方法。
【請求項６】
a) SLIT-3核酸またはその誘導体または断片を含有する溶液と、試験対象の薬剤とを接触させる工程、
b)発現と薬剤の非存在下での核酸、誘導体または断片の発現とを比較する工程、
を含み、薬剤の存在下でのヌクレオチド、誘導体または断片の発現が、薬剤の非存在下での発現と統計学的に有意な量で異なる場合、薬剤はSLIT-3核酸の発現を変化させる薬剤である、
SLIT-3核酸の発現を変化させる薬剤の同定方法。
【請求項７】
SLIT-3核酸またはその断片もしくは誘導体；Roboファミリー核酸のメンバーまたはその断片もしくは誘導体；SLIT-3核酸によりコードされるポリペプチド；Roboファミリー核酸のメンバーによりコードされるポリペプチド；SLIT-3レセプター；Roboファミリーのメンバーのレセプター；SLIT-3核酸結合剤；Roboファミリーメンバー核酸結合剤；ペプチド模倣物；融合タンパク質；プロドラッグ；抗体；SLIT-3核酸発現を変化させる薬剤；Roboファミリーメンバー核酸発現を変化させる薬剤；SLIT-3核酸にコードされるポリペプチドの活性を変化させる薬剤；Roboファミリーメンバーのポリペプチドコード核酸の活性を変化させる薬剤；SLIT-3核酸によりコードされるポリペプチドの転写後プロセシングを変化させる薬剤；Roboファミリーメンバーの核酸によりコードされるポリペプチドの転写後プロセシングを変化させる薬剤；SLIT-3核酸とSlIT-3結合剤との相互作用を変化させる薬剤；Roboファミリーメンバーの核酸とRoboファミリー結合剤との相互作用を変化させる薬剤；SLIT-3核酸とRoboファミリーメンバーとの相互作用を変化させる薬剤；SLIT-3核酸によりコードされるスプライシングバリアントの転写を変化させる薬剤；Roboファミリーメンバーの核酸によりコードされるスプライシングバリアントの転写を変化させる薬剤；およびリボザイムからなる群より選ばれるII型糖尿病治療剤。
【請求項８】
請求項７記載のII型糖尿病治療剤を含有してなる医薬組成物。
【請求項９】
個体におけるSLIT-3に関連する疾患または状態の治療のための医薬の製造におけるII型糖尿病治療剤の使用。
【請求項１０】
a)ハイブリダイゼーションに適切な条件下で、試料と、SLIT-3遺伝子の配列の一部に少なくとも部分的には相補的である連続したヌクレオチド配列を含有してなる核酸とを接触させる工程、および
b)SLIT-3遺伝子核酸と、SLIT-3核酸の配列の一部に少なくとも部分的に相補的である連続したヌクレオチド配列を含有する核酸との間にハイブリダイゼーションが生じているかを評価する工程；
を含み、ハイブリダイゼーションが生じている場合、SLIT-3核酸が核酸内に存在する、
SLIT-3核酸の存在について試料をアッセイする方法。
【請求項１１】
a)SLIT-3核酸のヌクレオチド配列の一部に少なくとも部分的に相補的な連続したヌクレオチド配列を含有する１つ以上の標識核酸；および
b)前記標識の検出のための試薬
を別々の容器中に含有してなる、SLIT-3核酸の存在について試料をアッセイするための試薬キット。
【請求項１２】
5q35遺伝子座位において、表２に示されるハプロタイプまたは表５に示されるハプロタイプの個体における存在または非存在を決定する工程を含み、ハプロタイプの存在がII型糖尿病に対する罹患性の診断である、個体におけるII型糖尿病に対する罹患性を診断する方法。
【請求項１３】
染色体5q35上の２つ以上のマーカーおよび／または図１１に示される単一ヌクレオチド多型を含有するハプロタイプの、個体における存在または非存在を決定する工程を含み、ハプロタイプの存在がII型糖尿病に対する罹患性の診断である、個体におけるII型糖尿病に対する罹患性を診断する方法。
【請求項１４】
II型糖尿病に対して罹患性でない個体と比べてII型糖尿病に対して罹患性である個体においてより頻繁に存在するSLIT-3核酸においてリスクのあるハプロタイプについてスクリーニングする工程を含み、個体におけるII型糖尿病のリスクのあるハプロタイプがリスクを有意に増大させる、個体におけるII型糖尿病に対する罹患性を診断および同定する方法。
【請求項１５】
個体におけるSLIT-3に関連する疾患または状態の治療のための医薬の製造のためのII型糖尿病治療剤の使用。
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
成熟な神経細胞および毛様体から単離された細胞の混合物を含む、細胞培養系。
【請求項２】
前記成熟な神経細胞が成熟な網膜神経細胞を含む、請求項１に記載の細胞培養系。
【請求項３】
前記成熟な網膜神経細胞が、双極細胞、水平細胞、アマクリン細胞、神経節細胞および光受容細胞からなる群から選択される、請求項２に記載の細胞培養系。
【請求項４】
成熟な網膜神経細胞および毛様体から単離された細胞の混合物を含む、網膜細胞培養系。
【請求項５】
前記成熟な網膜神経細胞が、双極細胞、水平細胞、アマクリン細胞、神経節細胞および光受容体からなる群から選択される、請求項４に記載の網膜細胞培養系。
【請求項６】
成熟な網膜神経細胞および毛様体から単離された細胞の混合物を含む網膜細胞培養系であって、該成熟な網膜神経細胞は、双極細胞、水平細胞、アマクリン細胞、神経節細胞および光受容細胞からなる群から選択される、網膜細胞培養系。
【請求項７】
（ｉ）成熟な網膜神経細胞；（ｉｉ）毛様体から単離された細胞；および（ｉｉｉ）胚性網膜細胞の混合物を含む、網膜細胞培養系。
【請求項８】
前記胚性網膜細胞が網膜幹細胞を含む、請求項７に記載の細胞培養系。
【請求項９】
前記胚性網膜細胞が胚性網膜前駆細胞を含む、請求項７に記載の細胞培養系。
【請求項１０】
前記成熟な網膜神経細胞が、双極細胞、水平細胞、アマクリン細胞、神経節細胞および光受容細胞からなる群から選択される、請求項７に記載の細胞培養系。
【請求項１１】
成熟な網膜神経細胞と、毛様体から単離された細胞とを同時に培養する工程を包含する、網膜細胞培養系を生成するための方法。
【請求項１２】
成熟な網膜神経細胞と、毛様体から単離された細胞とを同時に培養する工程を包含する、インビトロにおいて成熟な網膜神経細胞の生存を増強するための方法。
【請求項１３】
（ｉ）成熟な網膜神経細胞；（ｉｉ）毛様体から単離された細胞；および（ｉｉｉ）胚性網膜細胞を同時に培養する工程を包含する、請求項１１または請求項１２のいずれかに記載の方法。
【請求項１４】
前記胚性網膜細胞が、網膜幹細胞および胚性網膜前駆細胞からなる群から選択される、請求項１３に記載の方法。
【請求項１５】
神経細胞の生存を増強し得る生物活性薬剤を同定するための方法であって、（ｉ）請求項１〜１０のいずれか１項に記載の細胞培養系の神経細胞と、候補薬剤との間の相互作用を許容する条件下で、かつ、該相互作用を許容するのに十分な時間、該候補薬剤と該細胞培養系とを接触させる工程；および（ｉｉ）該候補薬剤の存在下での該細胞培養系の神経細胞の生存と、該候補薬剤の不在下での該細胞培養系の神経細胞の生存とを比較し、そこから、該神経細胞の生存を増強し得る生物活性薬剤を同定する工程、を包含する、方法。
【請求項１６】
神経細胞の神経変性を阻害し得る生物活性薬剤を同定するための方法であって、（ｉ）請求項１〜１０のいずれか１項に記載の細胞培養系の神経細胞と候補薬剤との間の相互作用を許容にする条件下で、かつ、該相互作用を許容するのに十分な時間、該生物活性薬剤と該細胞培養系とを接触させる工程；および（ｉｉ）該生物活性薬剤の存在下での該細胞培養系の神経細胞の構造と、該生物活性薬剤の不在下での該細胞培養系の神経細胞の構造とを比較し、そこから、該神経細胞の神経変性を阻害し得る生物活性薬剤を同定する工程、を包含する、方法。
【請求項１７】
網膜疾患を処置し得る生物活性薬剤を同定するための方法であって、請求項１〜１０のいずれか１項に記載の細胞培養系の神経細胞と候補薬剤との間の相互作用を許容する条件下で、かつ、該相互作用を許容するのに十分な時間、該生物活性薬剤と該細胞培養系とを接触させる工程；および（ｉｉ）該生物活性薬剤の存在下での該細胞培養系の神経細胞の神経変性と、該生物活性薬剤の不在下での該細胞培養系の神経細胞の神経変性とを比較し、そこから、網膜疾患を処置し得る生物活性薬剤を同定する工程、を包含する、方法。
【請求項１８】
前記神経細胞が網膜神経細胞である、請求項１５〜１７のいずれか１項に記載の方法。
【請求項１９】
前記網膜疾患が、黄斑変性症、緑内障、糖尿病性網膜症、網膜剥離、網膜血管閉塞、網膜色素変性症およびアルツハイマー病に関連する網膜障害からなる群から選択される、請求項１７に記載の方法。
【請求項２０】
網膜疾患の処置を必要とする被験体において、該被験体の網膜組織に導入するのに適切な単離された網膜幹細胞を含む、網膜疾患を処置するための組成物。
【請求項２１】
前記網膜疾患が、黄斑変性症、緑内障、糖尿病性網膜症、網膜剥離、網膜血管閉塞、網膜色素変性症およびアルツハイマー病に関連する網膜障害からなる群から選択される、請求項２０に記載の組成物。
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
・互いに軸方向にずれるように配置された少なくとも一つのステータ及びロータ、
・前記少なくとも一つのステータを支持するように構成されたケース、
・前記ケースに固定されたロータ支持ベアリング、及び
・前記ロータに軸方向に固定され、前記ロータ支持ベアリングによって回転軸線を中心として前記回転可能に支持されたロータシャフト、
を含む第１の軸方向磁束電動モータと、
前記ロータから前記少なくとも一つのステータの反対で前記ロータシャフトに連結され、太陽部材、少なくとも２つの遊星部材、及び前記ケースに連結された外側リング部材を含む第１の減速機と、
前記減速機を介してホイールを受けるために前記ロータシャフトに対して操作可能に連結され、前記少なくとも一つのステータから前記第１の減速機の反対に位置する第１のハブと、
前記ハブを前記ケースに対して回転可能に支持し、前記少なくとも一つのステータから前記第１の減速機の反対に位置する第１のハブ支持ベアリングと、を備え、
前記ロータシャフトが、前記ロータ支持ベアリングと隣接する肩部を含み、前記肩部が前記ロータと前記少なくとも一つのステータとの間に所望の空隙を維持するように配置され、
前記ロータシャフト、前記第１の減速機及び前記ハブが、前記ロータ支持ベアリング、前記ハブ支持ベアリング、及び前記外側リング部材の組合せのみで支持されているアセンブリ。
【請求項２】
前記少なくとも一つのステータから前記ロータの反対側で前記ケースに取り付けられた第２のステータを更に備え、
前記ロータは、該ロータの対向する側に複数の永久磁石を備え、
前記ロータシャフトの前記肩部は、前記ロータと前記少なくとも一つのステータとの間の前記空隙と、前記ロータと前記第２のステータとの間の第２の空隙とを維持するために前記ロータ支持ベアリングの端部に接している請求項１のアセンブリ。
【請求項３】
前記ハブから軸方向の反対で前記第１の軸方向磁束モータの前記ケースに固定された端板と、
前記第１の軸方向磁束モータから反対で前記端板に固定された第２の軸方向磁束モータと、を含み、前記第２の軸方向磁束モータが、
・互いに軸方向にずれるように配置された少なくとも一つのステータ及びロータ、
・前記少なくとも一つのステータを支持するように構成されたケース、
・前記ケースに固定されたロータ支持ベアリング、及び
・前記ロータに軸方向に固定され、前記ロータ支持ベアリングによって回転軸線を中心として回転可能に支持されたロータシャフトを含み、
前記ロータから前記少なくとも一つのステータの反対で前記第２の軸方向磁束モータロータシャフトに連結され、太陽部材、少なくとも２つの遊星部材、及び前記ケースに連結された外側リング部材を備えた第２の減速機と、
前記減速機を介してホイールを受けるために前記ロータシャフトに操作可能に連結され、前記第２の軸方向磁束モータの前記少なくとも一つのステータから前記第２の減速機の反対に位置する第２のハブと、
前記ハブを前記ケースに対して回転可能に支持し、前記第２の軸方向磁束モータの前記少なくとも一つのステータから前記第１の減速機の反対に位置する第２のハブ支持ベアリングと、を備え、
前記第２の軸方向磁束モータロータシャフトが前記第２の軸方向磁束モータロータ支持ベアリングと隣接する肩部を含み、該肩部が第２の軸方向磁束モータに含まれる前記少なくとも一つの前記ステータと前記ロータとの間に所望の空隙を維持するように配置され、
前記第２の軸方向磁束モータロータシャフト、前記第２の減速機及び前記第２のハブが、前記第２の軸方向磁束モータロータ支持ベアリング、前記第２のハブ支持ベアリング、及び前記第２の外側リング部材の組合せのみで支持されている請求項１のアセンブリ。
【請求項４】
前記ケースの各々が前記端板に取り付けられ、
前記第１及び第２の軸方向磁束モータの各々が、前記ケースに連結されたハウジングを含み、
前記第１及び第２のハブ支持ベアリングの各々が、前記関連する第１及び第２のハウジングに固定されている請求項３のアセンブリ。
【請求項５】
前記第１及び第２の軸方向磁束電動モータの各々が、関連ハブの各々に独立した速度及びトルクを提供するために操作可能に構成されている請求項３のアセンブリ。
【請求項６】
前記第１及び第２の軸方向磁束電動モータの各々が一対のステータを含み、前記第１及び第の軸方向磁束電動モータの各々の前記一対のステータのうちの少なくとも一つが、前記共通の端板上に配置されている請求項３のアセンブリ。
【請求項７】
共通の回転軸線を有する一対の鏡面対称の軸方向磁束電動モータを備え、各軸方向磁束モータが、
・ロータシャフト上に配置され、ローラシャフトベアリングにより回転軸に対して支持されているロータ、
・該ロータに操作可能な関係で配置された少なくとも１つのステータと、
・前記少なくとも一つのステータ及び前記ロータシャフトベアリングを支持するように構成されたケース、及び
・前記ロータシャフトに連結され、前記ケースに連結された外側リング部材を備えた減速機を含み、  
前記一対の軸方向磁束電動モータの各々の間に配置された共通の端板と、
前記一対の鏡面対称の軸方向磁束モータの各ロータシャフトに前記減速機を介して操作可能に連結され、関連出力ハブ支持ベアリングによって前記ケースに対して回転可能に支持された関連出力ハブと、を備え、
前記一対の鏡面対称の軸方向磁束電動モータの各々が、各出力ハブに対して独立した速度及びトルクを提供するために操作可能に構成され、
各ロータシャフト、減速機及び関連出力ハブが、前記関連ロータ支持ベアリング、前記関連ハブ支持ベアリング、及び前記関連外側リング部材の組合せのみで支持されている電源ユニットアセンブリ。
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
植物に所望の形質を生じさせるために、植物における細菌Agrobacterium tumefaciensが媒介する遺伝形質転換のための天然誘導物質である茶葉の熱不安定性カフェイン画分の費用効果的且つ効率的な使用方法であり、以下の工程を含む方法。
ａ．  乾燥茶葉を一晩、室温で、１０〜４０％の水性アセトンにより抽出する工程、
ｂ．  水層および脂質層を得るために、ｎ−ヘキサンで茶葉抽出物をろ過する工程、
ｃ．  前記水層からカテキンを除去するために、石油エーテルと酢酸エチルで、前記水層を抽出する工程、
ｄ．  クロロホルム層を得るために、クロロホルムで、前記工程（ｃ）の水層を抽出する工程、
ｅ．  前記クロロホルム層における全カフェイン画分濃度を概算する工程、
ｆ．  前記画分を得るために、フィルターによりカフェイン画分を滅菌する工程
ｇ．  液体改良イーストマンニトール培地（Yeast Mannitol Broth）に、前記細菌の菌株を接種する工程、
ｈ．  １２〜１６時間、２５〜３０℃、１５０〜２００ｒｐｍ、暗黒下で、前記接種物をインキュベートする工程、
ｉ．  ペレットを得るため、細菌生育のｌｏｇフェースの間に、１×１０9ｃｅｌｌｓ／ｍｌである、６００ｎｍの光学密度０．６〜０．８で、前記インキュベートした接種物を採集する工程、
ｊ．  懸濁液を得るために、前記細菌細胞を傷つけることなく、前記ペレットを新しいイーストマンニトール培地に懸濁する工程、
ｋ．  ５〜３５分間、細菌懸濁液に、異なる植物の外植片を浸漬する工程、
ｌ．  １〜１０日間の異なる期間、培養媒体（incubation medium）において、外植片をインキュベートする工程、
ｍ．  vir遺伝子を誘導するために、０．５〜３００μｇ／ｍｌの濃度で、茶葉の熱不安定性カフェイン画分を添加し、それによって、所望の形質の遺伝子により遺伝的に植物を形質転換するために、植物に、導入遺伝子を有するＴｉプラスミドを導入させる工程。
【請求項２】
１５〜３０分間、４０００〜８０００ｒｐｍ、２５〜３０℃で遠心分離することによって、生存細菌細胞を沈殿させる、請求項１記載の方法。
【請求項３】
以下の工程を含む、茶樹由来の熱不安定性カフェイン画分の製造方法。
ａ．  乾燥茶葉を一晩、室温で、１０〜４０％の水性アセトンにより抽出する工程、
ｂ．  水層および脂質層を得るために、ｎ-へキサンで茶葉抽出物をろ過する工程、
ｃ．  前記水層からカテキンを除去するために、石油エーテルと酢酸エチルで、前記水層を抽出する工程、
ｄ．  クロロホルム層を得るために、クロロホルムで、前記工程（ｃ）の水層を抽出する工程、
ｅ．  前記クロロホルム層における全カフェイン画分濃度を概算する工程、
ｆ．  前記画分を得るために、フィルターによりカフェイン画分を滅菌する工程。
【請求項４】
請求項３記載の製造方法により得られる茶樹由来の熱不安定性カフェイン画分を含む形質転換誘導物質。
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
（ａ）被検個体からのサンプル中における、１０以上のバイオマーカーの発現レベルを決定するステップと、ここで、前記バイオマーカーは図１〜７に記載されたバイオマーカー群からなる群から選択される、
（ｂ）ステップ（ａ）の前記サンプルの前記１０以上のバイオマーカーの発現レベルと、１以上のコントロールサンプルにおける前記バイオマーカーの発現レベルとを比較するステップと、ここで、前記コントロールサンプルは、変形性関節症の症状があると決定された個体からのものである、
を含む、被検個体の変形性関節症の症状を診断する方法であって、
ここで、前記コントロールサンプルと比較されたステップ（ａ）の前記サンプルの前記１０以上のバイオマーカーの得られた遺伝子発現パターンが、前記被検個体の変形性関節症の症状を示すものである、方法。
【請求項２】
前記コントロールサンプルは、マーシャルのスコアシステムに基づく変形性関節症の症状があるとされた個体からのものである請求項１に記載の方法。
【請求項３】
診断される変形性関節症の症状が、顕著、中程度、軽度及び重度からなる群から選択される請求項１又は２に記載の方法。
【請求項４】
前記症状が軽度であり、前記１０以上のバイオマーカーが図１、３、５、６ａ及び７ａのいずれかに記載されたバイオマーカーから選択される請求項３に記載の方法。
【請求項５】
前記症状が軽度であり、前記１０以上のバイオマーカーが図６ｂに記載されたバイオマーカーから選択される請求項３に記載の方法。
【請求項６】
前記症状が顕著であり、前記１０以上のバイオマーカーが図６ｃに記載されたバイオマーカーから選択される請求項３に記載の方法。
【請求項７】
前記症状が重度であり、前記１０以上のバイオマーカーが図２、４、５、６ｄ及び７ｂのいずれかに記載されたバイオマーカーから選択される請求項３に記載の方法。
【請求項８】
前記サンプルが、軟骨、血液及び滑液からなる群から選択される請求項１又は２に記載の方法。
【請求項９】
前記個体における１０以上のバイオマーカーの前記発現レベルが、マイクロアレイ又はリアルタイムＰＣＲから選択される技術を用いて決定される請求項１〜８のいずれか１項に記載の方法。
【請求項１０】
図１〜７に記載されている核酸からなる群から選択される１以上の遺伝子を含む単離されたバイオマーカー。
【請求項１１】
変形性関節症の症状の診断手段としての請求項１のバイオマーカーに相補的な配列の組成物の使用。
【請求項１２】
（ａ）薬剤による処理前の被検個体から第一のサンプルと処理後の前記被検個体から第二のサンプルを得るステップと、ここで、前記被検個体は変形性関節症の症状があり、
（ｂ）前記第一のサンプルと第二のサンプルのそれぞれにおける１０以上のバイオマーカーの発現レベルを検出するステップと、ここで前記１０以上のバイオマーカーは図１〜７に記載された群から選択され、
（ｃ）前記第一のサンプルにおける前記１０以上のバイオマーカーの発現レベルを、前記第二のサンプルにおける前記バイオマーカーの発現レベルを比較するステップと
を含む、被検個体における変形性関節症の症状の治療のための薬剤の効果をモニターする方法であって、
ここで、前記１０以上のバイオマーカーの得られた遺伝子発現パターンは、変形性関節症の前記症状の前記治療のための前記薬剤の効果を示す、方法。
【請求項１３】
前記被検体がマーシャルのスコアシステムに基づく変形性関節症の前記症状がある請求項１２に記載の方法。
【請求項１４】
診断される変形性関節症の症状が、顕著、中程度、軽度及び重度からなる群から選択される請求項１２又は１３に記載の方法。
【請求項１５】
前記症状が軽度であり、前記１０以上のバイオマーカーが図１、３、５、６ａ及び７ａのいずれかに記載されたバイオマーカーから選択される請求項１４に記載の方法。
【請求項１６】
前記症状が軽度であり、前記１０以上のバイオマーカーが図６ｂに記載されたバイオマーカーから選択される請求項１４に記載の方法。
【請求項１７】
前記症状が顕著であり、前記１０以上のバイオマーカーが図６ｃに記載されたバイオマーカーから選択される請求項１４に記載の方法。
【請求項１８】
前記症状が重度であり、前記１０以上のバイオマーカーが図２、４、５、６ｄ及び７ｂのいずれかに記載されたバイオマーカーから選択される請求項１４に記載の方法。
【請求項１９】
前記サンプルが、軟骨、血液及び滑液からなる群から選択される請求項１２又は１３に記載の方法。
【請求項２０】
前記個体における１０以上のバイオマーカーの前記発現レベルが、マイクロアレイ又はリアルタイムＰＣＲから選択される技術を用いて決定される請求項１２〜１９のいずれか１項に記載の方法。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
少なくとも３個でかつ１５個未満のアミノ酸残基を含み、配列番号７に示すようなアミノ酸配列を含むペプチド。
【請求項２】
前記アミノ酸配列がさらに、セリン、トレオニン、アスパラギン、グルタミンおよびそれらの天然の誘導体からなる群から選択される極性の電荷を有していないアミノ酸を含む請求項１に記載のペプチド。
【請求項３】
前記アミノ酸配列がさらに、少なくとも１つの正電荷を有しているアミノ酸および少なくとも１つの負電荷を有しているアミノ酸を含む請求項１に記載のペプチド。
【請求項４】
前記少なくとも１つの正電荷を有しているアミノ酸は、リジン、アルギニン、ならびにそれらの天然の誘導体および合成された誘導体からなる群から選択される請求項３に記載のペプチド。
【請求項５】
前記少なくとも１つの負電荷を有しているアミノ酸は、アスパラギン酸、グルタミン酸、ならびにそれらの天然の誘導体および合成された誘導体からなる群から選択される請求項３に記載のペプチド。
【請求項６】
前記アミノ酸配列は、配列番号４、配列番号１２〜配列番号１９および配列番号２７〜配列番号４５からなる群から選択される請求項１に記載のペプチド。
【請求項７】
ペプチドは、配列番号４、配列番号１２〜配列番号１９および配列番号２７〜配列番号４５からなる群から選択される請求項１に記載のペプチド。
【請求項８】
少なくとも２つのセリン残基をそのＣ末端にさらに含む請求項１に記載のペプチド。
【請求項９】
前記ペプチドがさらに、少なくとも１つのβ−破壊剤アミノ酸を含む請求項１に記載のペプチド。
【請求項１０】
前記β−破壊剤アミノ酸がプロリンである請求項９に記載のペプチド。
【請求項１１】
個体におけるアミロイド関連疾患を処置または予防するための医薬品の製造のための、請求項１に記載のペプチドの使用。
【請求項１２】
アミロイド関連疾患を処置または予防するための薬学的組成物であって、少なくとも３個でかつ１５個未満のアミノ酸残基を有し、配列番号７に示すようなアミノ酸配列を含むペプチドを有効成分として含み、かつ、薬学的に受容可能なキャリアまたは希釈剤を含む薬学的組成物。
【請求項１３】
少なくとも３個でかつ１５個未満のアミノ酸残基を有し、配列番号７に示すようなアミノ酸配列を含むペプチドをコードするポリヌクレオチドセグメントを含む核酸構築物。
【請求項１４】
プロモーターをさらに含む請求項１３に記載の核酸構築物。
【請求項１５】
少なくとも３個でかつ１５個未満のアミノ酸残基を含み、配列番号７に示すようなアミノ酸配列を含むペプチドと結合することができる抗原認識領域を含む抗体または抗体フラグメント。
【請求項１６】
アミロイド関連疾患を処置または予防するための薬学的組成物であって、少なくとも３個でかつ１５個未満のアミノ酸残基を含み、配列番号７に示すようなアミノ酸配列を含むペプチドと結合することができる抗原認識領域を有する抗体または抗体フラグメントを有効成分として含む薬学的組成物。
【請求項１７】
少なくとも３個でかつ１５個未満のアミノ酸残基を含み、配列番号７に示すようなアミノ酸配列を含むペプチドと結合することができる抗原認識領域を有する抗体または抗体フラグメントの、個体におけるアミロイド関連疾患を処置または予防するための医薬品の製造のための使用。
【請求項１８】
前記抗体または抗体フラグメントが生理学的に受容可能なキャリアもまた含む薬学的組成物の有効成分である請求項１７に記載の使用。
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
ヒトＩｉ蛋白質をコードするｍＲＮＡ分子に相補的なＲＮＡ分子をコードするＤＮＡ分子を含んでなり、該ＲＮＡ分子が該ｍＲＮＡにハイブリダイズする能力を有し、これにより該ｍＲＮＡ分子の翻訳を阻害する、ことを特徴とする発現可能なリバース遺伝子構築物。
【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
ｒＡＡＶ／ＩｇＧ１ｂ１２ゲノム。
【請求項２】
請求項１に記載のｒＡＡＶ／ＩｇＧ１ｂ１２ゲノムを含むポリヌクレオチド。
【請求項３】
請求項１に記載のｒＡＡＶ／ＩｇＧ１ｂ１２ゲノムを含むパッケージング細胞。
【請求項４】
請求項１に記載のｒＡＡＶ／ＩｇＧ１ｂ１２ゲノムを含む精製ｒＡＡＶ／ＩｇＧ１ｂ１２。
【請求項５】
請求項４に記載のｒＡＡＶ／ＩｇＧ１ｂ１２を含む組成物。
【請求項６】
細胞においてＩｇＧ１ｂ１２抗体を産生する方法であって、細胞を、該細胞におけるＩｇＧ１ｂ１２抗体の発現を誘発するための有効量の請求項４に記載の精製ｒＡＡＶ／ＩｇＧ１ｂ１２で形質転換する工程を包含する、方法。
【請求項７】
動物においてＩｇＧ１ｂ１２抗体を産生するための組成物であって、該動物におけるＩｇＧ１ｂ１２抗体の発現を誘発するための有効量の請求項５に記載の組成物である、組成物。
【請求項８】
前記動物が人間である、請求項７に記載の組成物。
【請求項９】
ｒＡＡＶ／ＳｃＦｖＸ５ゲノム。
【請求項１０】
請求項９に記載のｒＡＡＶ／ＳｃＦｖＸ５ゲノムを含むポリヌクレオチド。
【請求項１１】
請求項９に記載のｒＡＡＶ／ＳｃＦｖＸ５ゲノムを含むパッケージング細胞。
【請求項１２】
請求項９に記載のｒＡＡＶ／ＳｃＦｖＸ５ゲノムを含む精製ｒＡＡＶ／ＳｃＦｖＸ５。
【請求項１３】
請求項１２に記載のｒＡＡＶ／ＳｃＦｖＸ５を含む組成物。
【請求項１４】
細胞においてＳｃＦｖＸ５抗体ポリペプチドを産生する方法であって、細胞を、該細胞におけるＳｃＦｖＸ５抗体ポリペプチドの発現を誘発するための有効量の請求項１２に記載の精製ｒＡＡＶ／ＳｃＦｖＸ５で形質転換する工程を包含する、方法。
【請求項１５】
動物においてＳｃＦｖＸ５抗体ポリペプチドを産生するための組成物であって、該動物におけるＳｃＦｖＸ５抗体ポリペプチドの発現を誘発するための有効量の請求項１３に記載の組成物である、組成物。
【請求項１６】
前記動物が人間である、請求項１５に記載の組成物。
【請求項１７】
抗ＨＩＶ−１抗体ポリペプチドをコードする精製ｒＡＡＶ。
【請求項１８】
１つ以上の請求項１７に記載のｒＡＡＶを含む組成物。
【請求項１９】
細胞において抗ＨＩＶ−１抗体ポリペプチドを産生する方法であって、細胞を、該細胞における抗ＨＩＶ−１抗体ポリペプチドの発現を誘発するための有効量の請求項１７に記載の精製ｒＡＡＶで形質転換する工程を包含する、方法。
【請求項２０】
動物において抗ＨＩＶ−１抗体ポリペプチドを産生するための組成物であって、該動物における抗ＨＩＶ−１抗体ポリペプチドの発現を誘発するための有効量の請求項１９に記載の組成物である、組成物。
【請求項２１】
前記動物が人間である、請求項２０に記載の組成物。
【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
電圧制御発振器（voltage controlled oscillator, VCO）信号を受信し、可変振幅と、ＶＣＯ信号の周波数に関係する周波数とをもつ局所発振器（local oscillator, LO）信号を生成するように動作するＬＯ発生器と、
無線周波数（radio frequency, RF）における出力信号の振幅に基づいて、ＬＯ信号の振幅を調節するように動作する可変利得増幅器とを含み、可変振幅ＬＯ信号を、入力信号の周波数アップコンバージョンに使用して、出力信号を得る集積回路。
【請求項２】
可変振幅ＬＯ信号を、ベースバンドにおける入力信号の直接アップコンバージョンに使用して、出力信号を得る請求項１記載の集積回路。
【請求項３】
ＬＯ信号の振幅が出力信号の利得制御に基づいて調節される請求項１記載の集積回路。
【請求項４】
ＬＯ信号の振幅が、特定の閾値よりも高い出力信号レベルに対してほぼ一定であり、特定の閾値よりも低い出力信号レベルに対して比例する請求項１記載の集積回路。
【請求項５】
特定の閾値が選択可能である請求項４記載の集積回路。
【請求項６】
ＬＯ信号の振幅の変化対出力信号レベルの変化の比率が選択可能である請求項４記載の集積回路。
【請求項７】
ＬＯ信号の振幅が、搬送波抑圧基準を満たすように、出力信号に基づいて調節される請求項１記載の集積回路。
【請求項８】
ＬＯ信号の振幅が、出力信号ための利得制御信号に指数関数的に関係する請求項１記載の集積回路。
【請求項９】
ＬＯ信号の振幅が、出力信号のための利得制御信号に対して温度補償される請求項１記載の集積回路。
【請求項１０】
出力信号のための利得制御信号を受信して、可変利得増幅器のための振幅制御信号を生成するように動作する振幅制御ユニットをさらに含み、利得制御信号および振幅制御信号が特定の伝達関数に関係する請求項１記載の集積回路。
【請求項１１】
ＬＯ発生器が、
ＶＣＯ信号を受信して、ＶＣＯ信号の周波数に関係する周波数をもつミキサーＬＯ信号を生成するように動作する分周器ユニットと、
ミキサーＬＯ信号を受信して、ＶＣＯ信号の一形態とミックスして、ＬＯ信号を供給するように動作するミキサーとを含む請求項1記載の集積回路。
【請求項１２】
分周器ユニットが、Ｎを正の整数として、Ｎの倍数によってＶＣＯ信号の周波数を分割し、ミキサーＬＯ信号を生成するように動作する請求項１１記載の集積回路。
【請求項１３】
ミキサーが、単側波帯ミキサーである請求項１１記載の集積回路。
【請求項１４】
ＬＯ発生器および可変利得増幅器が、バイポーラトランジスタで実施される請求項１記載の集積回路。
【請求項１５】
入力信号を受信して、可変振幅ＬＯ信号でアップコンバートして、出力信号が得られるアップコンバートされた信号を生成するように動作する周波数アップコンバータをさらに含む請求項１記載の集積回路。
【請求項１６】
電圧制御発振器（ＶＣＯ）信号を受信して、可変振幅と、ＶＣＯ信号の周波数に関係する周波数とをもつ同相（inphase, I）および直角位相（quadrature, Q）の局所発振器（ＬＯ）信号を生成するように動作するＬＯ発生器と、
無線周波数（ＲＦ）における出力信号の振幅に基づいて、ＩおよびＱのＬＯ信号の振幅を調節するように動作する第１の可変利得増幅器と、
ＩおよびＱのベースバンド信号を受信して、可変振幅のＩおよびＱのＬＯ信号でアップコンバートして、出力信号が得られるアップコンバートされた信号を生成するように動作する周波数アップコンバータとを含むデバイス。
【請求項１７】
アップコンバートされた信号を、可変利得で増幅して、可変信号レベルをもつ出力信号を供給するように動作する第２の可変利得増幅器をさらに含み、ＬＯ信号の振幅が第２の可変利得増幅器のための利得制御に依存する請求項１６記載のデバイス。
【請求項１８】
電圧制御発振器（ＶＣＯ）信号に基づいて局所発振器（ＬＯ）信号を生成するための手段であって、ＬＯ信号が、可変振幅と、ＶＣＯ信号の周波数に関係する周波数とをもつ手段と、
無線周波数（ＲＦ）における出力信号の振幅に基づいて、ＬＯ信号の振幅を調節するための手段と、
可変振幅ＬＯ信号を使用して、入力信号の周波数アップコンバージョンを行って、出力信号を得るための手段とを含む装置。
【請求項１９】
ＬＯ信号の振幅が出力信号のための利得制御に基づいて調節される請求項１８記載の装置。
【請求項２０】
無線通信システムにおいて周波数アップコンバージョンを行う方法であって、
電圧制御発振器（ＶＣＯ）信号に基づいて、局所発振器（ＬＯ）信号を生成することであって、ＬＯ信号が、可変振幅と、ＶＣＯ信号の周波数に関係する周波数とをもつことと、
無線周波数（ＲＦ）における出力信号の振幅に基づいて、ＬＯ信号の振幅を調節することと、
可変振幅のＬＯ信号を使用して、入力信号の周波数アップコンバージョンを行って、出力信号を得ることとを含む方法。
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
食品を押し出して、所定の寸法を有するシートとして成形するための成形装置であって、
前記食品のための冷却された移動支持体表面と、
前記食品を前記移動支持体表面上に溶けた状態で堆積させるための手段と、
前記食品を前記支持体表面に沿って所定の幅に分配するための手段と、
支持体表面の長手方向周縁部の少なくとも一部に近接した対向する調節可能なサイドレールとを有し、
該対向する調節可能なサイドレールは、食品が所定の幅に保持されるように、前記支持体表面上に延びており、また、少なくとも１つの前記対向する調節可能なサイドレールは、前記食品が前記所定の幅を保持するように、前記支持体表面の面に対して調節可能である、ことを特徴とする成形装置。
【請求項２】
前記対向する調節可能なサイドレールは、前記支持体表面の長手方向の周縁部に隣接して、前記分配するための手段から少なくとも１.２ｍの距離にわたって延びている、ことを特徴とする、請求項１に記載の成形装置。
【請求項３】
前記対向する調節可能なサイドレールは、該サイドレールに取付けられたブラケットを有し、該ブラケットは、対向するサイドレールの間の距離が調節可能になるようにスライド可能に設けられている、ことを特徴とする、請求項２に記載の成形装置。
【請求項４】
前記サイドレールの一方または両方と前記支持体表面の面との間の角度が調節可能であることを特徴とする、請求項２に記載の成形装置。
【請求項５】
前記支持体表面が成形ベルトからなることを特徴とする、請求項１に記載の成形装置。
【請求項６】
前記分配手段が加圧マニホールドを備えることを特徴とする、請求項５に記載の成形装置。
【請求項７】
前記加圧マニホールドが上部成形マニホールドからなることを特徴とする、請求項６に記載の成形装置。
【請求項８】
前記加圧マニホールドが斜め成形マニホールドからなることを特徴とする、請求項６に記載の成形装置。
【請求項９】
前記支持体表面がチルロールの表面からなることを特徴とする、請求項１に記載の成形装置。
【請求項１０】
前記分配手段がゲージローラおよびチルロールを備えることを特徴とする、請求項９に記載の成形装置。
【請求項１１】
前記食品がプロセスチーズからなることを特徴とする、請求項１に記載の成形装置。
【請求項１２】
前記食品がゼラチン系のものであることを特徴とする、請求項１に記載の成形装置。
【請求項１３】
食品を所定の厚さを有するシートに成形するための処理方法であって、
移動支持体表面を設け、
前記食品を前記支持体表面上に所定の幅にわたって堆積させ、
前記食品の前記シートの幅を、前記支持体表面の長手方向の周縁部の少なくとも一部に近接した対向する調節可能なサイドレールを用いて制御し、
また、調節可能なサイドレールは、前記食品が所定の幅を保持するのに十分な距離にわたって、前記支持体表面の長手方向周縁部に近接して延びる、ことを特徴とする処理方法。
【請求項１４】
前記対向する調節可能なサイドレールの間の距離を調節するステップをさらに含む、ことを特徴とする請求項１３に記載の処理方法。
【請求項１５】
前記支持体表面の面に対する前記調節可能なサイドレールの一方または両方の角度を調節するステップをさらに含む、ことを特徴とする請求項１３に記載の処理方法。
【請求項１６】
前記対向する調節可能なサイドレールを使用しての前記食品のシートの幅の制御は、前記支持体表面に堆積させる箇所から少なくとも１．２ｍの距離にわたって、前記支持体表面の長手方向周縁部に近接して延びる前記対向する調節可能なサイドレールを設ける工程をゆする、ことを特徴とする請求項１３に記載の処理方法。
【請求項１７】
食品を押出して、所定の寸法を有するシートに成形するための成形装置であって、
冷却された成形ベルトと、
低粘性食品を溶けた状態で前記成形ベルトの上に所定の幅に分配するように構成されたマニホールドと、
前記成形ベルトの各即部に近接した対向する調節可能なサイドレールとを有し、
前記対向する調節可能なサイドレールは、前記食品が所定の幅を保持するのに十分な距離にわたって前記成形ベルトに沿って延び、また、前記対向する調節可能なサイドレールは、前記食品が前記所定の距離を保持するように、成形ベルトの面に対して調節可能である、ことを特徴とする成形装置。
【請求項１８】
前記対向する調節可能なサイドレールは、前記マニホールドから少なくとも１.２ｍの距離にわたって前記成形ベルトに沿って延びている、ことを特徴とする請求項１７に記載の成形装置。
【請求項１９】
前記対向する調節可能なサイドレールは、更に、該サイドレールに取付けられた調節可能なブラケットを有し、該ブラケットは、前記サイドレールの角度が前記成形ベルトの面に対して調節可能であるようにスライド可能に設けられている、ことを特徴とする請求項１７に記載の成形装置。
【請求項２０】
前記冷却された成形ベルトは、前記食品が成形ベルトの上で進むとき冷却されるように、冷却剤によって下面が冷却される、ことを特徴とする請求項１７に記載の成形装置。
【手続補正書】
【提出日】平成18年4月19日(2006.4.19)
【手続補正１】
【補正対象書類名】特許請求の範囲
【補正対象項目名】全文
【補正方法】変更
【補正の内容】
【特許請求の範囲】
【請求項１】
（ａ）配列番号11、配列番号13、配列番号12、配列番号28、配列番号30、配列番号31、配列番号33、配列番号35、配列番号37、配列番号38、配列番号40、配列番号41、および配列番号43からなる群より選択される核酸配列を含み、
（ｂ）配列番号16、配列番号29、配列番号32、配列番号34、配列番号36、配列番号39、および配列番号42から選択されるタンパク質をコードする、
（ｃ）配列番号16、配列番号29、配列番号32、配列番号34、配列番号36、配列番号39、または配列番号42と少なくとも40％の一致度を有するアミノ酸配列をコードする、
（ｄ）0.02M〜約0.15MのNaClで約50℃〜約70℃の温度のハイブリダイゼーション条件下、（ｂ）のポリヌクレオチド配列とハイブリダイズする、または
（ｅ）前記（a）、（b）、（c）または（ｄ）のポリヌクレオチド配列に相補的である、
単離されたポリヌクレオチド配列。
【請求項２】
プロモーター配列に作動的に連結した請求項1のポリヌクレオチド配列を含む発現カセット。
【請求項３】
請求項２の発現カセットを含むベクター。
【請求項４】
配列番号16、配列番号29、配列番号32、配列番号34、配列番号36、配列番号39、または配列番号42のアミノ酸配列を含む単離されたポリペプチド。
【請求項５】
請求項1のポリヌクレオチド配列によってコードされる単離されたポリペプチド。
【請求項６】
請求項４または請求項５のポリペプチドに免疫学的に特異的に結合するモノクローナル抗体またはポリクローナル抗体。
【請求項７】
請求項４または請求項５のポリペプチドに免疫学的に特異的に結合するポリクローナル抗体。
【請求項８】
請求項６のモノクローナル抗体を産生するハイブリドーマ細胞。
【請求項９】
請求項６または請求項７の抗体および薬学的に許容可能な担体を含む医薬組成物。
【請求項１０】
請求項２の発現カセットまたは請求項３のベクターを含む宿主細胞。
【請求項１１】
前記細胞が真核細胞または原核細胞である、請求項１０の宿主細胞。
【請求項１２】
請求項１のポリヌクレオチド配列を含むヒト以外のトランスジェニック動物。
【請求項１３】
前記動物がげっ歯類、マウスまたはラットである、請求項１２のヒト以外のトランスジェニック動物。